(57)【要約】本発明は、ローカルコンピュータ内に格納されたショートカットファイルのタイトル名を用いてショートカット索引データを索引して記録し、ユーザからプログラム質問語が入力されると、プログラム質問語と関連したショートカットファイルをすぐに実行させるローカルコンピュータのプログラム実行方法およびシステムに関する。本発明に係るローカルコンピュータのプログラム実行システムは、ローカルコンピュータ内に格納されたショートカットファイルと関連してショートカット索引データを索引する索引部と、索引されたショートカット索引データを記録するショートカット索引データベースと、ユーザからプログラム質問語が入力される入力部と、ショートカット索引データベースからプログラム質問語と関連したショートカット索引データを検索する検索部と、ショートカット索引データと関連したショートカットファイルを実行させる実行部とを備えることを特徴とする。【選択図】図２
2009532796.tif 000002
【特許請求の範囲】
【請求項１】
ローカルコンピュータ内に格納されたショートカットファイルと関連するショートカット索引データを索引する索引部と、
前記索引されたショートカット索引データを記録するショートカット索引データベースと、
ユーザからプログラム質問語が入力される入力部と、
前記ショートカット索引データベースから前記プログラム質問語と関連したショートカット索引データを検索する検索部と、
前記検索されたショートカット索引データと関連したショートカットファイルを実行させる実行部と、
を備えることを特徴とするローカルコンピュータのプログラム実行システム。
【請求項２】
前記ローカルコンピュータに格納されたショートカットファイルを検索するファイルスキャニング部をさらに備えることを特徴とする請求項１に記載のローカルコンピュータのプログラム実行システム。
【請求項３】
前記索引部は、
前記ローカルコンピュータの遊休時間が一定時間以上続く場合に、前記ショートカットファイルに関するショートカット索引データを索引することを特徴とする請求項１に記載のローカルコンピュータのプログラム実行システム。
【請求項４】
前記索引部は、
前記ショートカットファイルのタイトル名を用いて前記ショートカット索引データを索引することを特徴とする請求項１に記載のローカルコンピュータのプログラム実行システム。
【請求項５】
前記プログラム質問語は、前記ショートカット索引データと関連することを特徴とする請求項１に記載のローカルコンピュータのプログラム実行システム。
【請求項６】
前記入力部は、
ウェブブラウザを介して前記ユーザから前記プログラム質問語が入力されることを特徴とする請求項１に記載のローカルコンピュータのプログラム実行システム。
【請求項７】
前記実行部は、
前記ショートカットファイルと関連したプログラム連結情報を用いて前記ショートカットファイルを実行させることを特徴とする請求項１に記載のローカルコンピュータのプログラム実行システム。
【請求項８】
前記実行部は、
前記ショートカット索引データと関連した検索結果を提供し、前記検索結果の中から前記ユーザによって選択されたショートカットファイルを実行させることを特徴とする請求項１に記載のローカルコンピュータのプログラム実行システム。
【請求項９】
ローカルコンピュータ内に格納されたショートカットファイルと関連するショートカット索引データを索引するステップと、
前記索引されたショートカット索引データをショートカット索引データベースに記録するステップと、
ユーザからプログラム質問語が入力されるステップと、
前記ショートカット索引データベースから前記プログラム質問語と関連したショートカット索引データを検索するステップと、
前記検索されたショートカット索引データと関連したショートカットファイルを実行させるステップと、
を含むことを特徴とするローカルコンピュータのプログラム実行方法。
【請求項１０】
ローカルコンピュータ内に格納されたショートカットファイルと関連してショートカット索引データを索引する前記ステップは、
前記ローカルコンピュータに格納されたショートカットファイルを検索するステップと、
前記ローカルコンピュータの遊休時間が一定時間以上続く場合に、前記ショートカットファイルに関するショートカット索引データを索引するステップと、
を含むことを特徴とする請求項９に記載のローカルコンピュータのプログラム実行方法。
【請求項１１】
ローカルコンピュータ内に格納されたショートカットファイルと関連してショートカット索引データを索引する前記ステップは、
前記ショートカットファイルのタイトル名を用いて前記ショートカット索引データを索引するステップであることを特徴とする請求項９に記載のローカルコンピュータのプログラム実行方法。
【請求項１２】
前記プログラム質問語は、前記ショートカット索引データと関連することを特徴とする請求項９に記載のローカルコンピュータのプログラム実行方法。
【請求項１３】
ユーザからプログラム質問語が入力される前記ステップは、
ウェブブラウザを介して前記ユーザから前記プログラム質問語が入力されるステップを含むことを特徴とする請求項９に記載のローカルコンピュータのプログラム実行方法。
【請求項１４】
前記検索されたショートカット索引データと関連したショートカットファイルを実行させる前記ステップは、
前記ショートカットファイルと関連したプログラム連結情報を用いて前記ショートカットファイルを実行させるステップを含むことを特徴とする請求項９に記載のローカルコンピュータのプログラム実行方法。
【請求項１５】
前記ローカルコンピュータに格納されたショートカットファイルを検索するステップをさらに含むことを特徴とする請求項９に記載のローカルコンピュータのプログラム実行方法。
【請求項１６】
請求項９〜１５のうちのいずれか一項の方法を実行させるためのプログラムを記録したコンピュータ読み取り可能な記録媒体。
【発明の詳細な説明】
【技術分野】
【０００１】
本発明は、ローカルコンピュータ内に格納されたショートカットファイルのタイトル名を用いてショートカット索引データを索引して記録し、ユーザからプログラム質問語が入力された場合に、プログラム質問語と関連したショートカットファイルをすぐに実行させるローカルコンピュータのプログラム実行方法およびシステムに関する。
【背景技術】
【０００２】
デスクトップ（ｄｅｓｋｔｏｐ）、ノート型パソコン（ｎｏｔｅｂｏｏｋ）などのパーソナルコンピュータ（ｐｅｒｓｏｎａｌ  ｃｏｍｐｕｔｅｒ）の格納空間の増大に伴い、数多くの文章、イメージ、メール、メッセンジャー会話内容、動画、または音楽などを含んだファイルがデスクトップまたはノート型パンコンなどの格納空間に格納されることにより、デスクトップまたはノート型パンコン内のデータを対象とするローカルコンピュータ検索の必要性が求められるようになった。
【０００３】
すなわち、ローカルコンピュータに格納されているファイルを探そうとする場合に、オペレーティングシステム（Ｏｐｅｒａｔｉｏｎ  Ｓｙｓｔｅｍ：ＯＳ）などが提供するファイル検索機能を用いて、ユーザがそのファイルが格納されているファイル名を検索語として入力することで、自分が探そうとするファイルを探すことができた。しかしながら、ユーザがローカルコンピュータに格納されているすべてのファイルのファイル名を記憶することは事実上不可能である。例えば、ローカルコンピュータのユーザが映画「アイルランド」に関するレビュー（ｒｅｖｉｅｗ）をワードプロセッサを用いて作成し、何年後かに自分のコンピュータ内のどこかに格納されている「アイルランド」のレビューを探すためには、そのファイルが格納されたファイル名を検索窓に正確に入力することで、探そうとするファイルを探すことができる。
【０００４】
一方、既存のウィンドウでは、プログラム実行のためにユーザが直接に実行ファイル（ｅｘｅ）を探してクリックしたり、デスクトップ画面やスタートメニューなどのアイコンをクリックしたりすることで、所望するプログラムを実行することができた。特に、多くのプログラムを実行している最中には、他のプログラムを実行させるために作業中のすべてのウィンドウをすべてクローズしてデスクトップ画面のアイコンをクリックしたり、実行ファイルを探してクリックしたりしなければならなかった。
【０００５】
図１は、従来技術に係るローカルコンピュータでプログラムを検索する一例を示す図である。
【０００６】
図１に示すように、ユーザが「ゴムプレーヤ」という質問語を入力すると、ローカルコンピュータは、既に格納されたファイル名やファイル内容に「ゴムプレーヤ」という質問語が含まれているかを検索し、その検索結果を提供する。しかしながら、「ゴムプレーヤ」はプログラム名であり、ローカルコンピュータで提供するファイル検索機能では、プログラム名として入力された質問語に対応するプログラムを検索することができない。したがって、ローカルコンピュータは、「ゴムプレーヤ」に対応する検索結果として何も提供することができない。
【０００７】
一般的に、ウィンドウプログラムは、プログラム実行のためのショートカットファイル（ｌｎｋファイル）内にプログラム連結情報および特定アイコンなどが入っており、ユーザはプログラム連結情報または特定アイコンを介してショートカットファイルを実行させることができた。
【０００８】
しかしながら、ユーザが毎回プログラム連結情報または特定アイコンを介してプログラムを実行させることは非常に煩わしく、アイコンをデスクトップ画面に生成しない場合には、いちいち実行ファイルを探さなければならないという不便さが存在する。
【０００９】
さらに、既存のウィンドウのファイル検索機能では、実行ファイルを探すことができないという問題点が存在する。特に、自作プログラムの場合には、ハングルプログラム情報があるにも関わらず、これを対象として実行する機能的支援がなく、ユーザは習慣的にアイコンクリックのみによってプログラムを実行させている。
【００１０】
したがって、通常のファイル検索と同じように、プログラム名を用いて容易にプログラム検索および実行を行うことができるローカルコンピュータのプログラム実行方法およびシステムの必要性が切に求められている。
【発明の開示】
【発明が解決しようとする課題】
【００１１】
本発明は、上述のような従来技術の問題点を解決するために案出されたものであって、ローカルコンピュータ内に格納されたショートカットファイルのタイトル名と関連したショートカット索引データを別途に索引して記録することで、ユーザがショートカットファイルのタイトル名を用いて所望するショートカットファイルを検索して実行させることができるローカルコンピュータのプログラム実行方法およびシステムを提供することを目的とする。
【００１２】
また、本発明のローカルコンピュータのプログラム実行方法およびシステムは、ユーザがショートカットファイルのプログラム連結情報またはタイトル名を入力して実行ボタンを押せば、予め索引されたショートカット索引データを用いてショートカットファイルをすぐに実行させることを他の目的とする。
【００１３】
また、本発明のローカルコンピュータのプログラム実行方法およびシステムは、プログラム実行のために特定アイコンをクリックしなければならない従来とは異なり、検索窓にプログラム名（タイトル名）を入力して検索要請をするだけでも、該当するプログラムを検索および実行させることができることを他の目的とする。
【００１４】
さらに、本発明のローカルコンピュータのプログラム実行方法およびシステムは、ファイル索引時にシステムが使用されない遊休状態を把握し、遊休状態でショートカット索引データを索引することをさらに他の目的とする。
【課題を解決するための手段】
【００１５】
上記の目的を達成し、従来技術の問題点を解決するために、本発明の一実施形態に係るローカルコンピュータのプログラム実行システムは、ローカルコンピュータ内に格納されたショートカットファイルと関連するショートカット索引データを索引する索引部と、前記索引されたショートカット索引データを記録するショートカット索引データベースと、ユーザからプログラム質問語が入力される入力部と、前記ショートカット索引データベースから前記プログラム質問語と関連したショートカット索引データを検索する検索部と、前記ショートカット索引データと関連したショートカットファイルを実行させる実行部とを備えることを特徴とする。
【００１６】
また、本発明の他の実施形態に係るローカルコンピュータのプログラム実行方法は、ローカルコンピュータ内に格納されたショートカットファイルと関連するショートカット索引データを索引するステップと、前記索引されたショートカット索引データをショートカット索引データベースに記録するステップと、ユーザからプログラム質問語が入力されるステップと、前記ショートカット索引データベースから前記プログラム質問語と関連したショートカット索引データを検索するステップと、前記ショートカット索引データと関連したショートカットファイルを実行させるステップとを含むことを特徴とする。
【００１７】
このとき、ローカルコンピュータは、デスクトップコンピュータ（ｄｅｓｋｔｏｐ  ｃｏｍｐｕｔｅｒ）、ノート型パソコン（ｎｏｔｅｂｏｏｋ  ｃｏｍｐｕｔｅｒ）、ラップトップコンピュータ（ｌａｐｔｏｐ  ｃｏｍｐｕｔｅｒ）、ＰＤＡ（ｐｅｒｓｏｎａｌ  ｄｉｇｉｔａｌ  ａｓｓｉｓｔａｎｔ）、モバイルフォン（ｍｏｂｉｌｅ  ｐｈｏｎｅ）、およびＭＰ３プレーヤなどのマイクロプロセッサと格納空間（記憶装置）を備えたすべての装置を含む。このとき、格納空間はハードディスク、ＲＡＭ、またはＲＯＭであり、当該格納空間はローカルコンピュータ内蔵型または外蔵型であってもよい。
【００１８】
さらに、ローカルコンピュータは、ローカルネットワーク（ｌｏｃａｌ−ａｒｅａ  ｎｅｔｗｏｒｋ：ＬＡＮ）を介して連結された複数のコンピュータを含む概念である。
【発明を実施するための最良の形態】
【００１９】
以下、添付の図面を参照しながら、本発明に係る好ましい実施形態について詳細に説明する。
【００２０】
図２は、本発明の一実施形態において、ローカルコンピュータのプログラム実行システムを示すブロック図である。
【００２１】
図２に示すように、ローカルコンピュータのプログラム実行システム２００は、ローカルコンピュータ内に格納されたショートカットファイルと関連したショートカット索引データを索引する索引部２１０と、索引されたショートカット索引データを記録するショートカット索引データベース２３０と、ユーザからプログラム質問語が入力される入力部２２０と、ショートカット索引データベースからプログラム質問語と関連したショートカット索引データを検索する検索部２４０と、ショートカット索引データと関連したショートカットファイルを実行させる実行部２５０とを備える。この場合に、実行部２５０は、ショートカットファイルと関連したプログラム連結情報を用いてショートカットファイルを実行させることができる。
【００２２】
本発明の実施形態によれば、ローカルコンピュータのプログラム実行システム２００は、ローカルコンピュータに格納されたショートカットファイルを検索するファイルスキャニング部２６０をさらに備え、索引部２１０は、ローカルコンピュータの遊休時間（Ｉｄｌｅ  Ｔｉｍｅ）が一定時間以上続く場合に、ショートカットファイルに関するショートカット索引データを索引する。
【００２３】
本発明の他の実施形態によれば、索引部２１０は、索引対象ファイルを検索して索引データを索引するときに、ショートカットファイルに関するショートカット索引データのみを別途に索引してショートカット索引データベース２３０に記録することで、ユーザからショートカット索引データと関連したプログラム質問語が入力された場合に、ショートカット索引データと関連したショートカットファイルをすぐに実行できるようにする。
【００２４】
このように、本発明によれば、プログラム実行のために特定アイコンをクリックしなければならない従来とは異なり、検索窓にプログラム名（タイトル名）を入力して検索要請をするだけでも、該当するプログラムを検索および実行させることができる。
【００２５】
図３は、本発明の他の実施形態において、ローカルコンピュータのプログラム実行方法を示すフローチャートである。本実施形態に係るローカルコンピュータのプログラム実行方法は、図２に示すようなローカルコンピュータのプログラム実行システム２００で実行することができる。
【００２６】
ステップＳ３０１で、ローカルコンピュータのプログラム実行システム２００の索引部２１０は、ローカルコンピュータ内に格納されたショートカットファイルと関連してショートカット索引データを索引する。ショートカットファイル（．ｌｎｋファイル）は、ウィンドウの短縮アイコンの拡張子であり、実行ファイルの代わりにデスクトップ画面やスタートボタンに登録して用いることができ、ユーザが短縮アイコンをクリックするだけでも、ショートカットファイルと関連したプログラムを実行させることができる。一般的に、ショートカットファイルは、連結している実行ファイルの位置、名前、実行オプションなどの情報を含んでいる。
【００２７】
本発明の実施形態によれば、索引部２１０は、ショートカットファイルのタイトル名を用いてショートカット索引データを索引することができる。この場合に、ショートカットファイルのタイトル名の全部または一部から抽出されたり、タイトル名の前部分から抽出されたり、後部分から抽出されることができ、タイトル名の前部分及び後部分の各々一部から抽出されたりする。これは、ユーザの検索性向を考慮した上で、ユーザが利用しやすい様にショートカット索引データを抽出することができる。
【００２８】
または、本発明の他の実施形態によれば、索引部２１０は、ショートカットファイルのプログラム連結情報を用いてショートカット索引データを索引することもできる。一般的に、ファイル検索時にはディレクトリまたはファイル名称を用いるが、このようなファイル検索特性を考慮した上で、プログラム連結情報もショートカット索引データとして抽出することができる。この場合に、上述したように、プログラム連結情報の全部または一部でショートカット索引データを抽出することができる。
【００２９】
これは、既存のウィンドウでは、プログラム実行のためにユーザが直接に実行ファイル（ｅｘｅ）を探してクリックしたり、デスクトップ画面やスタートメニューなどのアイコンをクリックしたりすることによって所望するプログラムを実行することができたが、本発明では、ショートカットファイルのタイトル名でも容易にプログラムを実行させるためのものである。
【００３０】
本発明の実施形態によれば、ローカルコンピュータのプログラム実行システム２００は、ローカルコンピュータの遊休時間（ｉｄｌｅ  ｔｉｍｅ）をモニタリングし、遊休時間が一定時間以上続く場合には、ショートカット索引データを索引することができる。このとき、遊休時間とは、ユーザや他のアプリケーションによるローカルコンピュータの使用率または占有率が所定のレベル以下である時間を意味する。すなわち、遊休時間とは、ローカルコンピュータが他の作業に使用されていない時間であり、ローカルコンピュータ検索のための索引作業に活用することができる時間である。
【００３１】
遊休時間であるか否かは、中央処理装置（Ｃｅｎｔｒａｌ  Ｐｒｏｃｅｓｓｉｎｇ  Ｕｎｉｔ：ＣＰＵ）使用率、メモリ使用率、入力装置の動作可否、およびドライブ使用率を考慮して決定することができる。例えば、遊休時間であると判断される時間が１５秒以上続く場合にのみ、ローカルコンピュータに対する索引動作を実行するようにできる。
【００３２】
本発明の他の実施形態によれば、ローカルコンピュータのプログラム実行システム２００は、ローカルコンピュータに格納されたショートカットファイルを検索するファイルスキャニング部２６０をさらに備え、索引部２１０は、遊休時間が一定時間以上続く場合に、ショートカット索引データを索引する。
【００３３】
ステップＳ３０２で、ローカルコンピュータのプログラム実行システム２００は、索引されたショートカット索引データをショートカット索引データベース２３０に記録する。
【００３４】
本発明の実施形態によれば、ローカルコンピュータのプログラム実行システム２００は、ショートカットファイルの他にも、ローカルコンピュータに格納されたファイルのうち索引対象ファイルを検索することができる。このとき、索引対象ファイルは、文章ファイル、オーディオファイル、ビデオファイル、イメージファイル、メッセンジャー会話内容ファイル、および電子メールなどを含むことができ、ローカルコンピュータ内の情報のうち特定の拡張子を有する一部索引対象ファイルがローカルコンピュータ検索のための索引の対象となる。このように検索された索引対象ファイルは、各索引対象ファイルと関連した索引データとして索引され、所定のインデックスデータベースに格納することができる。
【００３５】
本発明では、索引対象ファイルを検索して索引データを索引するときに、ショートカットファイルに関するショートカット索引データのみを別途に索引してショートカット索引データベース２３０に記録しておくことで、ユーザからショートカット索引データと関連したプログラム質問語が入力された場合に、ショートカット索引データと関連したショートカットファイルをすぐに実行できるようにする。
【００３６】
ステップＳ３０３で、ローカルコンピュータのプログラム実行システム２００の入力部２２０は、ユーザからプログラム質問語の入力を受ける。プログラム質問語とは、ショートカット索引データと関連した質問語であって、上述したように、ショートカットファイルのタイトル名またはプログラム連結情報である。例えば、ユーザは、「ゴムプレーヤ」、「ｗｉｎａｍｐ」、「アルジップ」、「三国志」などのプログラム質問語を入力部２２０に入力することができる。
【００３７】
本発明の実施形態によれば、ローカルコンピュータのプログラム実行システム２００は、既存のウィンドウプログラムでファイル検索機能を提供するときに提供される一般的な検索窓形態で入力部２２０を提供することもでき、ウェブブラウザ形態で入力部２２０を提供することもできる。したがって、ユーザは、一般的な検索窓またはウェブブラウザの検索フィールドを介して自由にプログラム質問語を入力することができる。これにより、ローカルコンピュータのプログラム実行システム２００は、前者の場合には、入力されたプログラム質問語に対する検索結果としてローカルコンピュータ内の検索結果を提供し、後者の場合には、ウェブ文章形式でローカルコンピュータ内の検索結果とウェブページ検索結果とを共に提供することができる。
【００３８】
ステップＳ３０４で、ローカルコンピュータのプログラム実行システム２００の検索部２４０は、ショートカット索引データベース２３０からプログラム質問語と関連したショートカット索引データを検索する。例えば、プログラム質問語として「ゴムプレーヤ」と入力された場合に、検索部２４０は、「ゴムプレーヤ」と関連したショートカット索引データを検索することができる。
【００３９】
ステップＳ３０５で、ローカルコンピュータのプログラム実行システム２００の実行部２５０は、検索されたショートカット索引データと関連したショートカットファイルを実行させる。実行部２５０は、検索されたショートカット索引データと関連したショートカットファイルが１つ以上の場合には、ユーザに検索結果を提供し、ユーザによって検索結果のうちの１つのショートカットファイルが選択されると、すぐに選択されたショートカットファイルのアプリケーションを実行させてショートカットファイルを実行させることができる。
【００４０】
本発明の実施形態によれば、ユーザがウェブブラウザを介してプログラム質問語を入力した場合には、ローカルコンピュータ検索結果をウェブ文章形式に変換してウェブ文章形式の検索結果を提供する。このとき、ウェブ文章は、ＨＴＭＬ（Ｈｙｐｅｒ  Ｔｅｘｔ  Ｍａｒｋｕｐ  Ｌａｎｇｕａｇｅ）文章で構成することができ、ウェブ文章形式の検索結果は、ローカルコンピュータ検索結果に必要なイメージや文句などのリソースが付加したものであってもよい。
【００４１】
このように、本発明によれば、ユーザがショートカットファイルのプログラム連結情報またはタイトル名を入力して実行ボタンを押すことで、予め索引されたショートカット索引データを用いてショートカットファイルをすぐに実行させることができる。
【００４２】
図４は、図２に示すローカルコンピュータのプログラム実行システムを用いて検索を実行した結果画面の一例を示す図である。
【００４３】
図４に示すように、ユーザが検索窓（入力部２２０）に「ゴムプレーヤ」のプログラム質問語を入力して「検索」または「実行」ボタンを押せば、ローカルコンピュータのプログラム実行システム２００は、ショートカット索引データベース２３０から「ゴムプレーヤ」と関連したショートカット索引データを検索し、これによる検索結果（ゴムプレーヤ、アイポップホームページ）を提供する。ユーザは、検索結果のうちから実行を所望する１つのショートカットファイルを選択し、これによって選択されたショートカットファイルがすぐに実行される。
【００４４】
また、図示してはいないが、ローカルコンピュータに「ゴムプレーヤ」と関連したショートカットファイルが１つだけ存在する場合、検索結果を提供する代りにすぐに「ゴムプレーヤ」を実行させる。
【００４５】
なお、本発明に係るローカルコンピュータのプログラム実行方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を格納して実行するように特別に構成されたハードウェア装置が含まれる。また、記録媒体は、プログラム命令、データ構造などを格納する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００４６】
本発明のローカルコンピュータのプログラム実行方法およびシステムによれば、ローカルコンピュータ内に格納されたショートカットファイルのタイトル名と関連したショートカット索引データを別途に索引して記録することで、ユーザがショートカットファイルのタイトル名を用いて所望するショートカットファイルを検索して実行させることができる。
【００４７】
また、本発明のローカルコンピュータのプログラム実行方法およびシステムによれば、ユーザがショートカットファイルのプログラム連結情報またはタイトル名を入力して実行ボタンを押せば、予め索引されたショートカット索引データを用いてショートカットファイルをすぐに実行させることができる。
【００４８】
また、本発明のローカルコンピュータのプログラム実行方法およびシステムによれば、プログラム実行のために特定のアイコンをクリックしなければならない従来とは異なり、検索窓にプログラム名（タイトル名）を入力して検索要請をするだけでも、該当するプログラムを検索および実行させることができる。
【００４９】
さらに、本発明のローカルコンピュータのプログラム実行方法およびシステムによれば、ファイル索引時にシステムが使用されない遊休状態を把握し、遊休状態でショートカット索引データを索引することができる。
【００５０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００５１】
【図１】従来技術に係るローカルコンピュータでプログラムを検索する一例を示す図である。
【図２】本発明の一実施形態において、ローカルコンピュータのプログラム実行システムを示すブロック図である。
【図３】本発明の他の実施形態において、ローカルコンピュータのプログラム実行方法を示すフローチャートである。
【図４】図２に示すローカルコンピュータのプログラム実行システムを用いてショートカットファイル検索を実行した結果画面の一例を示す図である。
【図１】
2009532796.tif 000003
【図２】
2009532796.tif 000004
【図３】
2009532796.tif 000005
【図４】
2009532796.tif 000006
【国際調査報告】
2009532796.tif 000007
2009532796.tif 000008